(57)【特許請求の範囲】
【請求項１】
フリーアクセスフロアの床面を形成するパネル部材を、その下側から支持する略柱状の複数の支持台と、
前記複数の支持台のそれぞれを支持する凹部が形成された複数の受け台を有し、これら複数の受け台の互いの間隔を維持して一体的に連結するよう形成された連結支持部材とを備え、
前記受け台の凹部の内周面に水平周方向に互いに間隔をおいて複数の凸部が形成された
ことを特徴とするフリーアクセスフロア用支持台ユニット。
【発明の詳細な説明】
【技術分野】
【０００１】
本発明は、フリーアクセスフロアの床面を形成するパネル部材を、その下側から支持する複数の支持台や、これら複数の支持台の互いの間隔を維持して一体的に連結するよう支持する連結支持部材を備えたフリーアクセスフロア用支持台ユニットに関するものである。
【背景技術】
【０００２】
図７は、部屋の床部に敷設された従来のフリーアクセスフロア２の、壁３寄りの領域を示す平面図である。この従来のフリーアクセスフロア２の敷設作業の途中段階において、壁３からある程度離れている領域では、図８に示すように、複数のパネルユニット４を、互いに間隔を空けて下地コンクリート床面６上に配置する作業が行なわれる。
【０００３】
このパネルユニット４は、フリーアクセスフロア２の床板となる４枚のパネル部材８と、図９及び図１０に示すようなフリーアクセスフロア用支持台ユニット１０（以下、支持台ユニット１０という）とを備えて構成されている。
【０００４】
支持台ユニット１０は、水平面上の縦方向及び横方向に３列ずつ、互いに交叉する方向に並んで配置された９つの支持台１２と、これら９つの支持台１２を互いに連結するよう支持する連結支持部材１４を備えて構成されている。
【０００５】
連結支持部材１４は、合成樹脂製であって、支持台１２のそれぞれを支持する９つの受け台２０と、前記縦方向及び横方向に互いに隣合う受け台２０同士を一体的に連結する連結帯２２を備えて構成されている。また、支持台１２のそれぞれは、図１０に示すように、金属性のパイプ材１６、及びこのパイプ材１６の上端部に設けられる合成樹脂製のキャップ１８を備えて構成されている。
【０００６】
支持台ユニット１０における連結支持部材１４の各受け台２０には、一定深さの凹部２４が形成されており、各凹部２４には、支持台１２のパイプ材１６の下端部が嵌合して、パイプ材１６の下端面が凹部２４の底面に接触して支持されている。
【０００７】
各凹部２４同士の水平面上の縦方向及び横方向のピッチ間隔（各凹部２４の中心間の距離）は、図７に示すパネル部材８が縦方向及び横方向に配置されるピッチ間隔と同じ長さになるように設定されている。これにより、このような凹部２４のそれぞれに嵌合する９つの支持台１２の互いのピッチ間隔は、図８に示すように、パネル部材８が配置されるピッチ間隔と同じ長さに維持されるようになっている。
【０００８】
図１１は、図９及び図１０における支持台１２のキャップ１８を示す平面図である。同図に示すように、キャップ１８は、その上端面１８ａ上に開口するよう形成されて、後述するパネル部材８の折曲った側板部３０と係合可能な４本の溝部２６を有している。
【０００９】
このキャップ１８の上端面１８ａ上に開口する４本の溝部２６は、これら４本の中の２本が、上端面１８ａ上の水平一方向に延びるよう互いに平行に一定間隔を挟んで配置され、この２本と直角に交差する水平他方向に延びるよう他の２本が互いに平行に一定間隔を挟んで配置されている。これら４本の溝部２６は、互いに平行に並んで配置される２本の組合せ同士が、互いの長さ方向の略中央部において交差している。
【００１０】
また、図１２は、図７，８におけるパネル部材８を示す平面図である。パネル部材８は、定形部材であって、同図に示すように、略正方形の平面形状を有する天板部２８と、この天板部２８の四辺のそれぞれに、下地コンクリート床面６側（図１２中、紙面に垂直方向の奥側）に一定高さを有するよう折曲げて形成される側板部３０とを有している。
【００１１】
このようなパネル部材８を、図９及び図１０に示す支持台ユニット１０上に、水平面上の縦方向及び横方向それぞれに２枚ずつ計４枚並べて載置することにより、図８に示すようなパネルユニット４を組立てることができる。
【００１２】
このようなパネルユニット４の各パネル部材８は、図１２に示す天板部２８の各隅部が、図９及び図１０に示す支持台ユニット１０の対応する各支持台１２のキャップ１８上に載置されると共に、図１２に示す各側板部３０の、互いに直角に隣合って配置される一対の端部のそれぞれが、対応する支持台１２の図１１に示す上端面１８ａの１／４の面積内の、互いに直角に隣合って配置される一対の溝部２６に嵌合するようになっている。
【００１３】
図８に示すように、パネルユニット４のそれぞれは、互いに隣合って水平方向に対向する支持台１２の中心部間が、図中縦方向及び横方向にパネル部材８の一辺の長さとほぼ同じ長さの間隔だけ互いに離れて、下地コンクリート床面６上に配置される。
【００１４】
そして、パネルユニット４同士の間のパネル部材８が配置されていない領域には、各パネルユニット４のパネル部材８よりも外側にはみ出す各支持台１２のキャップ１８の上端面１８ａ上に、それらの中心部間に渡すように他のパネル部材８が配置されることにより、図７に示すように、パネル部材８が水平面における縦横二方向それぞれに連続的に並ぶ多数のパネル部材８の列が多数配置されて、フリーアクセスフロア２が形成されるようになっている。
【００１５】
このような従来のフリーアクセスフロア２、及び支持台ユニット１０は、まだ公開公報が発行されていないので、先行特許文献として掲げることはできないが、特願２００７−０４１４９２号の従来例として記載されているものである。
【発明の開示】
【発明が解決しようとする課題】
【００１６】
しかしながら、上述したような従来の支持台ユニット１０においては、図１０に示すように、その連結支持部材１４の受け台２０の凹部２４に嵌合させた支持台１２が、この受け台２０から容易に脱落してしまうおそれがあるという問題があった。
【００１７】
そこで本発明は、上記問題点に鑑みて、その連結支持部材の受け台から支持台が容易に脱落してしまうことを防止することができるフリーアクセスフロア用支持台ユニットを提供することを課題とするものである。
【課題を解決するための手段】
【００１８】
上記課題を解決するために、本発明によるフリーアクセスフロア用支持台ユニットは、
フリーアクセスフロアの床面を形成するパネル部材を、その下側から支持する略柱状の複数の支持台と、
前記複数の支持台のそれぞれを支持する凹部が形成された複数の受け台を有し、これら複数の受け台の互いの間隔を維持して一体的に連結するよう形成された連結支持部材とを備え、
前記受け台の凹部の内周面に水平周方向に互いに間隔をおいて複数の凸部が形成されたことを特徴とするものである。
【発明の効果】
【００１９】
このような本発明に係るフリーアクセスフロア用支持台ユニットによれば、
フリーアクセスフロアの床面を形成するパネル部材を、その下側から支持する略柱状の複数の支持台と、
前記複数の支持台のそれぞれを支持する凹部が形成された複数の受け台を有し、これら複数の受け台の互いの間隔を維持して一体的に連結するよう形成された連結支持部材とを備え、
前記受け台の凹部の内周面に水平周方向に互いに間隔をおいて複数の凸部が形成されたことにより、
連結支持部材の受け台から支持台が容易に脱落してしまうことを防止することができる。
【発明を実施するための最良の形態】
【００２０】
以下、本発明に係るフリーアクセスフロア用支持台ユニットを実施するための最良の形態について、図面に基づいて具体的に説明する。
図１から図６は、本発明の一実施の形態に係るフリーアクセスフロア用支持台ユニット３２（以下、支持台ユニット３２という）について説明するために参照する図である。従来と同様の部分には同じ符号を用いて説明し、従来と同様の構成についての重複する説明はできるだけ省略するものとする。
【００２１】
本実施の形態に係る支持台ユニット３２は、図１及び図２に示すように、水平面上の縦方向及び横方向にそれぞれ３列ずつ、互いに交叉する方向に並んで配置された９つの支持台３４と、これら９つの支持台３４を支持して互いに連結する連結支持部材３６を備えて構成されている。
【００２２】
支持台ユニット３２の支持台３４のそれぞれは、図３及び図４に示すように、ほぼ円柱状に形成され、その内部に空間を有して下端部側が開口するように形成されている。この支持台３４は、合成樹脂製であって、その全体形状が一体的に形成されている。また支持台３４には、４本の溝部２６が形成されている。
【００２３】
図３に示すように、この支持台３４の４本の溝部２６は、前述したような、図１１に示す従来のキャップ１８の溝部２６と同様に配置されるよう形成されている。
【００２４】
次に、図１及び図２に示すように、支持台ユニット３２の連結支持部材３６は、９つの支持台３４のそれぞれを支持する９つの受け台４０を備えている。この受け台４０のそれぞれには、図５及び図６に示すように、上方に開口し一定深さを有する円形状の凹部４２が形成されている。この凹部４２の底面の中央部には、この凹部４２の直径よりも小さい直径の円形状の貫通孔４４が開口し、この貫通孔４４は受け台４０の底面まで貫通するように形成されている。
【００２５】
また、受け台４０には、図５に示すように、その凹部４２の内周面に４つの凸部４６が形成されている。この凸部４６のそれぞれは、凹部４２の内周面の円周方向に沿って形成され、凹部４２の深さ方向全体にわたって高さを有するように形成されている。この４つの凸部４６は、凹部４２の内周面の円周方向に、等間隔で離れて配置されて形成されている。
【００２６】
また、凸部４６のそれぞれは、受け台４０における凹部４２の内周面から半径内側方向にほぼ一定厚さだけ出張るように形成されている。図６に示すように、この凸部４６のそれぞれにおける高さ上端側の縁部には、半径外側方向に向かうにしたがって高さが高くなっていくような傾斜部４６ａが形成されている。
【００２７】
図１に示すように、支持台ユニット３２は、その連結支持部材３６それぞれの受け台４０の凹部４２に支持台３４の下端部が嵌入したときは、この受け台４０の凹部４２内に形成された４つの凸部４６それぞれの内周面が、支持台３４の下端部周面に硬く接触するように圧入されるように、各部の寸法が設定されている。
【００２８】
このような本実施の形態に係る支持台ユニット３２によれば、その連結支持部材３６の受け台４０それぞれの凹部４２に嵌入する支持台３４の下端部に対して、この受け台４０の凹部４２内に形成された４つの凸部４６のそれぞれが硬く接触することにより、支持台３４の周面と受け台４０の凸部４６の内周面との間に働く摩擦力を増大することができるようになっているので、この連結支持部材３６の受け台４０から支持台３４が容易に脱落してしまうことを防止することができる。
【００２９】
また、本実施の形態に係る支持台ユニット３２によれば、その連結支持部材３６の受け台４０それぞれの凹部４２内に形成された４つの凸部４６のそれぞれの上端部に、傾斜部４６ａが形成されているので、受け台４０の凹部４２のそれぞれに支持台３４の下端部を嵌入する作業を容易にすることができる。
【００３０】
なお、本実施の形態に係る支持台ユニット３２においては、その支持台３４がほぼ円柱状に形成されると共に、連結支持部材３６の受け台４０それぞれの凹部４２が円形状で開口するように形成されていたが、支持台３４が多角柱状に形成され、受け台４０の凹部４２が、これに対応する多角形状で開口するように形成されていてもよい。
【００３１】
また、本実施の形態に係る支持台ユニット３２においては、その連結支持部材３６の受け台４０それぞれの凹部４２の内周面に４つの凸部４６が形成されていたが、この凸部４６は、３つ以下又は５つ以上形成されるようになっていてもよい。
【００３２】
また、本実施の形態においては、本発明を、図１，２に示すような構造の支持台ユニット３２に適用した場合について説明したが、図１，２に示すような支持台ユニット３２とは異なる構造の他の支持台ユニットについても、本発明を適用することができることはいうまでもない。
【図面の簡単な説明】
【００３３】
【図１】本発明の一実施の形態に係る支持台ユニット３２を示す平面図である。
【図２】図１における支持台ユニット３２のＢ−Ｂ線断面矢視図である。
【図３】図１中の支持台３４だけを取り出して示すその平面図である。
【図４】図３に示す支持台３４の側面図である。
【図５】図１中の連結支持部材３６における中央部の受け台４０、及びこの受け台４０に連結する連結帯２２の一部を示すその平面図である。
【図６】図５に示す受け台４０のＣ−Ｃ線矢視断面図である。
【図７】従来のフリーアクセスフロア２を示す図であって、このフリーアクセスフロア２を敷設した部屋内の敷設開始側の壁３寄りの領域を示す平面図である。
【図８】図７に示す従来のフリーアクセスフロア２の敷設作業の途中段階にあるものを示す図であって、敷設開始側の壁３からある程度離れている領域を示す平面図である。
【図９】図８中の支持台ユニット１０だけを取り出して示すその平面図である。
【図１０】図９における支持台ユニット１０のＡ−Ａ線矢視断面図である。
【図１１】図９中のキャップ１８だけを取り出して示すその平面図である。
【図１２】図８中のパネル部材８だけを取り出して示すその平面図である。
【符号の説明】
【００３４】
２  フリーアクセスフロア
３  壁
４  パネルユニット
６  下地コンクリート床面
８  パネル部材
１０  フリーアクセスフロア用支持台ユニット
１２  支持台
１４  連結支持部材
１６  パイプ材
１８  キャップ
１８ａ  上端面
２０  受け台
２２  連結帯
２４  凹部
２６  溝部
２８  天板部
３０  側板部
３２  フリーアクセスフロア用支持台ユニット
３４  支持台
３４ａ  上端面
３６  連結支持部材
４０  受け台
４２  凹部
４４  貫通孔部
４６  凸部
４６ａ  傾斜部
【図１】
0005171411.tif 000002
【図２】
0005171411.tif 000003
【図３】
0005171411.tif 000004
【図４】
0005171411.tif 000005
【図５】
0005171411.tif 000006
【図６】
0005171411.tif 000007
【図７】
0005171411.tif 000008
【図８】
0005171411.tif 000009
【図９】
0005171411.tif 000010
【図１０】
0005171411.tif 000011
【図１１】
0005171411.tif 000012
【図１２】
0005171411.tif 000013